(57)【要約】【課題】内視鏡画像の静止画の記録に際し、該静止画と共に動画も記録可能に構成することで、患者への説明や記録画像の保管を容易に行うことのできる医療画像記録装置を提供する。【解決手段】本発明の医療画像記録装置１には、機能拡張基板２９を有するビデオプロセッサ１０が設けられている。この機能拡張基板２９のＣＰＵ２００は、信号切替部３０から出力された映像信号を機能拡張コネクタ１８、データセレクタ２０６を介して静止画コーデック部２０２及び動画コーデック部２０３に供給させ、静止画コーデック部２０２を制御して入力された映像信号から静止画ファイルを生成させると同時に、動画コーデック部２０３を制御して入力された映像信号と音声信号から動画ファイルを生成させる。その後、ＣＰＵ２００は、ファイル関連付け部２０４を制御して、生成された静止画ファイルと動画ファイルとをファイル名の関連付けを行いコネクタ２０９を介して前記記録媒体２０５に記録させる。【選択図】  図１
2005044004.tif 000002
【特許請求の範囲】
【請求項１】
医療診断用の画像データの入力を受け付ける入力手段と、
ユーザからの画像記録操作を受け付ける画像記録操作受付手段と、
前記画像記録操作受付手段よりユーザ操作を受け付けた際に、識別子を生成する識別子生成手段と、
前記識別子を用いて、前記画像データを静止画ファイルとして記録媒体に記録する静止画記録手段と、
前記識別子を用いて、前記画像データを静止画ファイルと対応付けした動画ファイルとして前記記録媒体に記録する動画記録手段と、
を具備したことを特徴とする医療画像記録装置。
【請求項２】
前記動画記録手段は、音声を取り込む音声入力部からの音声データを、前記動画ファイル内の画像データと合わせて前記記録媒体に記録することを特徴とする請求項１に記載の医療画像記録装置。
【請求項３】
前記静止記録手段及び前記動画記録手段は、前記記録媒体の１つの記録領域に記録することを特徴とする請求項１に記載の医療画像記録装置。
【請求項４】
医療診断用の画像データで、同一の識別子により対応付けされた静止画ファイル及び動画ファイルを記録媒体に記録する記録手段と、
前記記録手段より前記静止画ファイルを読み出す静止画読み出し手段と、
前記静止画読み出し手段により指定された静止画ファイルの識別子を元に静止画ファイルに対応付けられた動画ファイルを読み出す動画読み出し手段と、
前記静止画ファイル及び前記動画ファイルを画面に表示する表示手段と
を具備したことを特徴とする医療画像表示装置。
【発明の詳細な説明】
【０００１】
【発明の属する技術分野】
本発明は、医療画像記録装置に係り、さらに詳しくは静止画と共に動画も記録可能とすることで患者への説明や記録画像の保管を容易に行うことのできる医療画像記録装置に関する。
【０００２】
【従来の技術】
従来の内視鏡撮像装置では、例えば内臓したスマートメディア等の記録媒体に内視鏡画像を静止画として記録し、記録した静止画を再生して患者へ説明を行ったり、診察の記録として保存したりしている。また、別体の写真撮影装置やビデオプリンタに記録し、写真やプリントで静止画を見せたり、記録として保存したりもしている。
【０００３】
また、これとは別に内視鏡画像を動画として記録する場合がある。この場合、例えば別体のＶＴＲやＤＶレコーダーに動画を記録し、診察後にこの記録した動画を再生しながら患者に説明したり、記録として保存したりしている。
【０００４】
この種の関連技術としては、本件出願人によって提案がなされた、例えば特開２００１−７８１７４号公報や特開２００２−２４８０７６号公報に記載の画像処理装置がある。
【０００５】
前者の前記特開２００１−７８１７４号公報の画像処理装置は、内視鏡画像を信号処理する画像処理装置において、内視鏡画像に対して所定の基本処理を施す基本処理手段を備えたメイン基板と、該メイン基板に着脱自在に接続され、前記基本処理手段で基本処理された内視鏡画像に対して、所定の拡張処理を施す拡張処理手段を備え、前記拡張処理手段は、前記拡張基板の種類を示す識別データを記憶した識別記憶手段を有し、前記メイン基板は、前記識別データ記憶手段からの識別データに基づき前記拡張基板の拡張処理の処理内容を制御する制御手段を有して構成したことが特徴である。
【０００６】
この構成により、効率的に内視鏡画像の信号処理の機能拡張を行う目的を達成しようとしている。
【０００７】
また、後者の前記特開２００２−２４８０７６号公報の画像処理装置は、被写体を撮像する撮像手段が出力する撮像信号を複数回記憶してマルチフリーズ画像を生成する記憶手段と、該マルチフリーズ画像の設定値を入力する入力手段と、該入力手段で入力された前記設定値に基づき前記記憶手段を制御する制御手段とを備えて構成したことが特徴である。
【０００８】
この構成により、マルチフリーズ画像の１周期の時間設定を任意に変更可能とし、あらゆるストロボ光源との組み合わせでも、常に１周期の画像を指定された分割画像に当てはまるようにマルチフリーズ画像を取り込むことのできる目的を達成しようとしている。
【０００９】
【特許文献１】
特開２００１−７８１７４号公報
【００１０】
【特許文献２】
特開２００２−２４８０７６号公報
【００１１】
【発明が解決しようとする課題】
ところで、上述した内視鏡撮像装置において、内視鏡観察画像の記録方法を考慮すると、内視鏡画像を静止画、あるいは動画として、それぞれ異なる記録手段に記録することが一般的であるが、従来より、患者に対する説明や記録画像の保管、管理を容易に行うことができる記録方法が望まれている。
【００１２】
しかしながら、上述したように単に内視鏡画像を静止画として記録手段に記録し、あるいは内視鏡画像を他の記録手段に動画として記録する従来技術では、静止画の記録手段と動画の記録手段が異なるために、患者への説明には非常に手間がかかってしまう。すなわち、静止画は内視鏡撮像装置のスマートメディアから内視鏡撮像装置のフロントパネルを操作して再生することになり、動画はＤＶレコーダーを一旦録画を停止し巻き戻して再生するといったように操作が煩雑となってしまう。
【００１３】
また、動画に関しては先のように一旦録画を停止し、巻き戻し再生後、再び次の録画を行うといった作業になるため、静止画以上に操作が大変である。そこで実際には静止画だけで患者への説明を行う場合も多いが、動画を一緒に見せる場合に比べて患者の理解は得にくいものがあった。
【００１４】
さらに、静止画は普通何枚も記録し、患者への説明にはその内の１〜２枚を使って説明するが、同時に動画を記録していても、見せる静止画と同じ場面を再生するには、巻き戻しをうまく行わねばならず、容易ではないといった不都合もあった。
【００１５】
また、パソコンで画像を記録し、静止画や動画を編集・再生する場合もあるが、この場合には、内視鏡撮像装置とは別にパソコン本体や再生用のモニタも必要となり、コストがかかったり、機材を置くためのスペースがより必要になるという不都合もあった。
【００１６】
関連技術としての前記特開２００１−７８１７４号公報の画像処理装置では、効率的に内視鏡画像の信号処理の機能拡張を行うための技術に関して述べられてはいるものの、上記問題点を解決するための具体的な内視鏡画像の記録方法についは述べられてはいない。また、前記特開２００２−２４８０７６号公報の画像処理についても、単にあらゆるストロボ光源との組み合わせでも、常に１周期の画像を指定された分割画像に当てはまるようにマルチフリーズ画像を取り込むための技術に関し開示されており、上記関連技術同様、上記問題点を解決するための具体的な内視鏡画像の記録方法については述べられてはおらず、改善が望まれている。
【００１７】
そこで、本発明は上記問題点に鑑みてなされたもので、内視鏡画像の静止画の記録に際し、該静止画と共に動画も記録可能に構成することで、患者への説明や記録画像の保管を容易に行うことのできる医療画像記録装置を提供することを目的とする。
【００１８】
【課題を解決するための手段】
上記目的を達成するために請求項１に記載の発明の医療画像記録装置は、医療診断用の画像データの入力を受け付ける入力手段と、ユーザからの画像記録操作を受け付ける画像記録操作受付手段と、前記画像記録操作受付手段よりユーザ操作を受け付けた際に、識別子を生成する識別子生成手段と、前記識別子を用いて、前記画像データを静止画ファイルとして記録媒体に記録する静止画記録手段と、前記識別子を用いて、前記画像データを静止画ファイルと対応付けした動画ファイルとして前記記録媒体に記録する動画記録手段と、を具備したことを特徴とするものである。
【００１９】
請求項２に記載の発明の医療画像記録装置は、請求項１に記載の医療画像記録装置において、前記動画記録手段は、音声を取り込む音声入力部からの音声データを、前記動画ファイル内の画像データと合わせて前記記録媒体に記録することを特徴とするものである。
【００２０】
請求項３に記載の発明の医療画像記録装置は、請求項１に記載の医療画像記録装置において、前記静止記録手段及び前記動画記録手段は、前記記録媒体の１つの記録領域に記録することを特徴とするものである。
【００２１】
請求項４に記載の発明の医療画像記録装置は、医療診断用の画像データで、同一の識別子により対応付けされた静止画ファイル及び動画ファイルを記録媒体に記録する記録手段と、前記記録手段より前記静止画ファイルを読み出す静止画読み出し手段と、前記静止画読み出し手段により指定された静止画ファイルの識別子を元に静止画ファイルに対応付けられた動画ファイルを読み出す動画読み出し手段と、前記静止画ファイル及び前記動画ファイルを画面に表示する表示手段とを具備したことを特徴とするものである。
【００２２】
【発明の実施の形態】
以下、図面を参照して本発明の実施の形態を説明する。
第１の実施の形態；
（構成）
図１乃至図７は本発明に係る医療画像記録装置の第１の実施の形態を示し、図１は該医療画像記録装置を採用した電子内視鏡システムの構成を示す構成図、図２は図１のビデオプロセッサと電子内視鏡の詳細な構成を示すブロック図、図３は図１のビデオプロセッサ内のベース基板上に配された機能拡張基板の取付け状態を示す斜視図、図４は図３の機能拡張基板上の電子回路群の具体的な構成を示すブロック図、図５は本実施の形態の特徴となる作用を説明するための設定画面を示す図、図６は特徴となる記録方法の記録タイミングを示すタイミングチャート、図７は特徴となる作用を説明するための静止画のサムネイル表示を示す図、をそれぞれ示している。
【００２３】
本実施の形態の医療画像記録装置を備えた電子内視鏡システム１は、図１に示すように、固体撮像素子（例えばＣＣＤ２２）を撮像手段として有する電子内視鏡２と、この電子内視鏡２からの出力信号を処理するビデオプロセッサ１０と、このビデオプロセッサ１０からの画像信号に基づき映像を表示するモニタ１１と、前記電子内視鏡２に照明光を供給する光源装置９とでその主要部を構成している。
【００２４】
電子内視鏡２は、手元側の把持部を兼ねた操作部３から前方に向かって細長の挿入部２ａを延設している。この挿入部２ａは先端に向かって順に湾曲部（図示せず）、硬性の先端部２ｂを連設して構成されている。
【００２５】
操作部３には操作スイッチ４が設けられており、この操作スイッチ４を操作することにより、前記ビデオプロセッサ１０による各種動作を制御することが可能になっている。
【００２６】
また、操作部３にはその後端部側方からユニバーサルコード５が延設され、先端部に設けたＬＧコネクタ６によって前記光源装置９に接続されている。
【００２７】
ＬＧコネクタ６の側方にはビデオコード７が延設されており、先端部に設けたビデオコネクタ８によって前記ビデオプロセッサ１０に接続されている。
【００２８】
ビデオプロセッサ１０は、後述する信号処理回路を内蔵して構成されており、この信号処理回路を用いて前記内視鏡２から得られた撮像信号を処理してモニタ１１に供給することにより、該撮像信号に基づく映像が該モニタ１１により表示されるようになっている。
【００２９】
また、このビデオプロセッサ１０と前記光源装置９は、通信ケーブル１３で接続されている。
【００３０】
さらに、前記ビデオプロセッサ１０には、入力手段としてのキーボード１４がキーボートケーブル１５を介して接続されており、各種情報をこのキーボード１４によって前記プロセッサー１０内の取り込むことができるようになっている。
【００３１】
また、前記ビデオプロセッサ１０には、入力手段としてのマウス１４Ａがケーブル１５Ａを介して接続されており、マウス１４Ａを用いてモニタ表示画面を見ながらクリック等の操作を行うことにより、各種情報を前記ビデオプロセッサ１０内に取り込むことができるようになっている。
【００３２】
次に、前記ビデオプロセッサ１０と電子内視鏡２の詳細な構成を図２を参照しながら説明する。
【００３３】
先ず、ビデオプロセッサ１０の構成について説明すると、ビデオプロセッサ１０は、図２に示すように、制御手段としてのＣＰＵ２７，映像信号処理部２８，機能拡張基板２９，信号切替部３０，記録媒体２０５及び図示しないベース基板１６（図３参照）とを含んで構成されている。
【００３４】
ビデオプロセッサ１０内に設けられた映像信号処理部２８には、電子内視鏡２の先端部２ｂ内に設けられているＣＣＤ２２で取得された映像信号が供給される。そして、該映像信号処理部２８は、この供給された映像信号に所定の信号処理を施し、信号切替部３０に供給する。
【００３５】
この信号切替部３０は、ビデオプロセッサ内のＣＰＵ２７及び機能拡張基板２９と、モニタ１１とに電気的に接続されている。
【００３６】
前記機能拡張基板２９は、上述したようにビデオプロセッサ１０内に設けられており、その構成を説明すると、該機能拡張基板２９は、図３に示すように、映像信号処理部２８が搭載されているベース基板（メイン基板ともいう）１６とは別の基板で構成され、該ベース基板１６と機能拡張コネクタ１８（１８ａ）を介して着脱自在で構成され、また電気的にベース基板１６と接続されている。
【００３７】
また、この機能拡張基板２９は、該機能拡張基板上に種々様々な機能を実行するための電子部品等の装着が可能であり、これらの電子部品等を装着することで様々な拡張機能を追加できるように構成されている。
【００３８】
さらに、この機能拡張基板２９には、コネクタ２１を介してＰＣカードアダプタなどの記録媒体スロット１９が接続されている。つまり、この記録媒体スロット１９に例えばスマートメディア等の記録媒体２０５を装着することで、該機能拡張基板２９と記録媒体２０５が電気的に接続されることになる。
【００３９】
信号切替部３０は、ＣＰＵ２７の制御によってその出力が切替えられるようになっている。つまり、ＣＰＵ２７は、前記機能拡張基板２９が搭載されているかの有無に応じて、前記信号切替部３０に対し、機能拡張基板２９からの信号と映像信号を送受するか否かを切り替え、切替えた信号を出力する。
【００４０】
信号切替部３０より出力された映像信号はモニタ１１に供給され表示されることになる。
【００４１】
ＣＰＵ２７は、ビデオプロセッサ１０内の各種機能のコントロールを行うもので、上述したように機能拡張基板２９の制御、映像信号処理部２８の各種パラメータの設定制御、信号切替部３０の切替制御などを行う。
【００４２】
また、ＣＰＵ２７は図示しない光源装置との通信によって光源装置から出力される光量の制御及び光源装置の各種パラメータ設定を行うとともに、キーボード１４との通信によって各種情報や操作信号等の入力情報の取り込み制御を行う。
【００４３】
一方、電子内視鏡２は、挿入部２ａの先端部２ｂ内にＣＣＤ２２を有して構成され、また操作部３内には操作スイッチ４が設けられて構成されている。したがって、ＣＣＤ２２からの撮像信号は、ビデオプロセッサ１０の入力端を介して前記映像信号処理部２８に供給され、また、操作スイッチ４による操作信号は、ビデオプロセッサ１０内の前記ＣＰＵ２７に供給されるようになっている。
【００４４】
ＣＰＵ２７は、供給された操作スイッチ４からの操作信号に基づき該ビデオプロセッサ１０による各種動作を制御するようになっている。
【００４５】
次に、前記機能拡張基板２９の詳細な構成を図４を参照しながら説明する。
【００４６】
本実施の形態における機能拡張基板２９は、内視鏡画像の静止画像信号と動画像信号とを関連づけて半導体メモリーなどの記録媒体に記録するための機能を備えて構成されている。すなわち、機能拡張基板２９は、図４に示すように、ＣＰＵ２００，１次メモリ２０１ａ，２０１ｂ、静止画コーデック部２０２、動画コーデック部２０３、ファイル関連付け部２０４、記録媒体２０５、データセレクタ（ＳＥＬともいう）及び２次メモリ２０８等を備えて構成されている。
【００４７】
機能拡張基板２９に設けられたＣＰＵ２００は、ベース基板１６のＣＰＵ２７と通信して該機能拡張基板２９の各種コントロールを制御するためのものである。
【００４８】
信号切替部３０から出力された映像信号は、機能拡張コネクタ１８を介して上記構成の機能拡張基板２９のデータセレクタ２０６に供給され、このデータセレクタ２０６からの出力映像信号は、静止画コーデック部２０２及び動画コーデック部２０３に供給されるようになっている。
【００４９】
データセレクタ２０６は、後述するＣＰＵ２００によって映像信号の入出力が切替制御されるようになっており、具体的には、データセレクタ２０６は、映像信号の入力画像（ライブ画像）と、静止画コーデック部２０２あるいは動画コーデック部２０３からの再生画像とを選択し、ベース基板１６へ選択した映像信号（画像信号）を出力する。
【００５０】
静止画コーデック部２０２は、入力された映像信号からＪＰＥＧやＴＩＦＦといった静止画ファイルを生成し、ファイル関連付け部２０４に供給する。
【００５１】
動画コーデック部２０３は、入力された映像信号と音声信号（図示はしないが音声信号入力可能に構成されている）からＭＰＥＧやＡＶＩといった動画ファイルを生成し、上記同様ファイル関連付け部２０４に供給する。
【００５２】
ファイル関連付け部２０４は、生成された静止画ファイルと動画ファイルとをファイル名の関連付けを行う。このファイル関連付け部２０４はコネクタ２０９を介して記録媒体２０５に電気的に接続されており、このファイル関連付け部２０４によりファイル名の関連付けが行われた静止画ファイル及び動画ファイルは、コネクタ２０９を介して前記記録媒体２０５に記録されるようになっている。
【００５３】
また、ファイル関連付け部２０４からの出力データの記録媒体２０５への書き込みは、前記ＣＰＵ２００によって制御される。また、ＣＰＵ２００は、前記記録媒体２０５の読み出し制御も行う。
【００５４】
再生時には、前記ＣＰＵ２００の読み出し制御によって記録媒体２０５から記録画像が読み出され、静止画については静止画コーデック部２０２、動画については動画コーデック部２０３に供給されることにより、それぞれ映像信号に戻された後、データセレクタ２０６を介してモニタ１１上に表示されることになる。
１次メモリ２０１（２０１ａ，２０１ｂ）は、静止画コーデック部２０２及び動画コーデック部２０３に各々コネクタ２０９を介して接続され、静止画や動画の１次的な記録が行われる。
【００５５】
また、２次メモリ２０８は、ファイル関連付け部２０４で関連付けされた静止画ファイル及び動画ファイルの１次的に記録が行われる。
【００５６】
これら１次メモリ２０１及び２次メモリ２０８における記録制御については、前記静止画コーデック部２０２及び動画コーデック部２０３を制御するＣＰＵ２００によって行われるようになっている。
【００５７】
（作用）
次に、本実施の形態の特徴となる作用を図２乃至図７を参照しながら詳細に説明する。
【００５８】
本実施の形態の電子内視鏡システム１において、ベース基板１６上のＣＰＵ２７は機能拡張基板２９上のＣＰＵ２００と通信することによって、機能拡張基板２９の存在を認識する。
【００５９】
なお、本実施の形態にて用いられた機能拡張基板２９は、被写体の静止画ファイルと動画ファイルとを関連付けて記録媒体に記録するための基板である。
【００６０】
この種の機能拡張基板２９がベース基板１６に搭載されたことを認識すると、ベース基板１６上のＣＰＵ２７は、信号切替部３０を切替制御して、映像信号処理部２８からの映像信号を該信号切替部３０を介してベース基板１６から機能拡張基板２９へ送出するように制御する。
【００６１】
すると、機能拡張基板２９のデータセレクタ２０６は、ＣＰＵ２００の制御によって、入力された映像信号（ライブ画像）をベース基板１６へ戻すと共に、静止画コーデック部２０２と動画コーデック部２０３に映像信号を送出する。
【００６２】
ここで、本実施の形態では、ビデオプロセッサ１０のＣＰＵ２７が、記録する際の設定画面、例えば図５に示す設定画面１１Ａをモニタ表示させ、該設定画面１１Ａを見ながら該ビデオプロセッサ１０の図示しないフロントパネル操作やキーボード１４の操作、あるいはマウス１４Ａの操作により、静止画に関連して記録する動画の記録時間や記録タイミング及びファイル名やフォルダ名などを、予め設定可能である。例えば、この設定内容として記録時間は１秒や２秒、５秒、１０秒といった時間に設定可能であり、ファイル名やフォルダ名は英数字で入力可能である。また、記録タイミングは、ＢＥＦＯＲＥ、ＭＩＤＤＬＥ、ＡＦＴＥＲから選択可能である。
【００６３】
なお、図５に示す設定画面１１Ａの場合は、記録時間：２秒、ファイル名：ＳＵＺＵＫＩ、記録タイミング：ＭＩＤＤＬＥ、フォルダ名：ＳＵＺＵＫＩ１と設定されている。
【００６４】
この設定内容で予め設定された後、いま、電子内視鏡２の操作スイッチ４あるいはキーボード１４のキー操作によって、いわゆるレリーズ操作（静止画の記録操作）が行われたとする。
【００６５】
すると、機能拡張基板２９のＣＰＵ２００は、静止画コーデック部２０２を制御して入力された映像信号をＪＰＥＧやＴＩＦＦといった静止画ファイルに変換させる。
【００６６】
また、ＣＰＵ２００は、動画コーデック部２０３を制御して、先の設定に基づき、入力された映像信号をＭＰＥＧやＡＶＩといった動画ファイルに変換させる。
【００６７】
例えば、本実施の形態における図５に示す設定例では、記録時間が２秒で記録タイミングがＭＩＤＤＬＥであるので、ＣＰＵ２００は、レリーズ前１秒間とレリーズ後１秒間の計２秒間の動画ファイルに変換させる。
【００６８】
ここで、記録タイミングとは、図６に示すように、レリーズ命令（図中ではｔ０の時刻）に対して時間的にどの部分の動画を記録するかを意味する。
【００６９】
したがって、ＢＥＦＯＲＥやＭＩＤＤＬＥの場合には、レリーズ前の画像を記録する必要があるため、ＣＰＵ２００は、動画コーデック部２０３に対し、記録時間と記録タイミングの設定に基づき、必要な時間分だけ、常に１次メモリ２０１ｂに動画像を上書きしながら記録し続けるように制御し、レリーズ信号を受信可能な状態で待機する。
【００７０】
もちろん、記録タイミングがＡＦＴＥＲの場合は、レリーズ後の記録でいいので先のような１次メモリ２０１ｂへの上書き的記録は行わなくても良い。また変換した静止画ファイル及び動画ファイルは各々１次メモリ２０１ａ，２０１ｂへ記録される。
【００７１】
そして、ＣＰＵ２００は、ファイル関連付け部２０４に対し、各々１次メモリ２０１ａ，２０１ｂに記録された静止画ファイルと動画ファイルの読み出し制御を行い、ファイル名の関連付けを行うように制御した後、各々２次メモリ２０８へ記録させる。そして、ＣＰＵ２００は、さらに、ファイル関連付け部２０４を制御して、予め記録媒体２０５に作成したフォルダに、２次メモリ２０８に記録した静止画ファイル及び動画ファイルを記録させる。
【００７２】
この場合、図５に示す設定例では、静止画ファイルがＳＵＺＵＫＩ００１．ｊｐｇ、その静止画に関連付いた動画ファイルがＳＵＺＵＫＩ００１．ｍｐｇとなって２次メモリ２０８に１次的に記録され、記録媒体２０５のＳＵＺＵＫＩフォルダに、各々ＳＵＺＵＫＩ．ｊｐｇ及びＳＵＺＵＫＩ．ｍｐｇとして記録されることになる。つまり、テンポラリのファイル（ＳＵＺＵＫＩ００１．ｊｐｇ，ＳＵＺＵＫＩ００１．ｍｐｇ）から、予め記録媒体２０５に設定されたファイル名（ＳＵＺＵＫＩ）のファイルとして関連付けて保存される。
【００７３】
一方、再生時には、ＣＰＵ２００は、記録媒体２０５から静止画ファイルのサムネイル画像を読み出し、その後、静止画コーデック部２０２によって、例えば図７に示す表示画面１１Ｂのような静止画のサムネイル表示がなされるように１次メモリ２０１ａ内にて表示画像データを生成させ、該１次メモリ２０１ａからこの生成した表示画像データを読み出しモニタ１１に出力して該モニタ１１上に表示させる。
【００７４】
ここで、静止画の再生を行うか、その静止画に関連した動画の再生を行うかを使用者によるキーボード１４やマウス１４Ａ等の操作手段にて選択する。この場合、使用者が所望の静止画を選択（キーボード１４の場合では実行キーで選択実行、あるいはマウス１４Ａの場合ではクリックすることで選択実行）すると、ＣＰＵ２００は、ビデオプロセッサ１０内のＣＰＵ２７との通信によりこれを認識し、選択した静止画あるいは動画を記録媒体２０５から読み出すように制御した後、各々静止画コーデック部２０２あるいは動画コーデック部２０３にて映像信号に変換させて１次メモリ２０１ａ，２０１ｂに記録させ、その後、１次メモリ２０１ａ，２０１ｂから読み出してモニタ１１上に再生表示させる。
【００７５】
（効果）
したがって、本実施の形態によれば、内視鏡画像の静止画の記録に際し、該静止画と共に動画も記録可能に構成し、さらに選択した所望の静止画あるいは動画を再生表示することができるので、患者への説明を容易に行うことができると同時に、記録画像の保管についても簡単に行うことができる。
【００７６】
第２の実施の形態；
（構成）
図８乃至図１０は本発明に係る医療画像記録装置の第２の実施の形態を示し、図８は改良がなされたビデオプロセッサと電子内視鏡の詳細な構成を示すブロック図、図９は図８の機能拡張基板上の電子回路群の具体的な構成を示すブロック図、図１０は本実施の形態の特徴となる声帯のストロボ観察を説明するための説明図である。なお、図８及び図９は、前記第１の実施の形態と同様に構成要素については同一の符号を付して説明を省略し、異なる部分のみを説明する。
【００７７】
本実施の形態では、さらに、マイク１０１，音声処理部３００及びスピーカー３０１を付加し、音声信号についても動画と共に記録し、再生可能に構成したことが特徴である。
【００７８】
具体的には、本実施の形態の医療画像記録装置において、電子内視鏡２及びビデオプロセッサ１０には、図８に示すように、各々マイク１０１が設けられて接続されている。
【００７９】
電子内視鏡２及びビデオプロセッサ１０にそれぞれ設けられたマイク１０１は、それぞれ音声を取り込み、取り込んだ音声を音声信号に変換し、得られた音声信号を、各々拡張コネクタ１８を介して、機能拡張基板２９へ出力する。
【００８０】
また、信号切替部３０には、前記機能拡張基板２９を介して記録された音声信号を再生するためのスピーカー３０１が接続されている。つまり、音声信号の再生時には、該機能拡張基板２９からの音声信号が拡張コネクタ１８を介してスピーカー３０１へと出力されるようになっている。
【００８１】
その他の構成については、前記第１の実施の形態と同様である。
【００８２】
次に、本実施の形態の機能拡張基板２９の詳細な構成を図９を参照しながら詳細に説明する。
【００８３】
図９に示すように、機能拡張基板２９には、新たに音声処理部３００及びスピカー３０１が設けられるとともに、前記第１の実施の形態におけるファイル関連付け部２０４及び２次メモリ２０８が削除されている。
【００８４】
つまり、図中に示すように、マイク１０１からの音声信号は、音声処理部３００に入力され、再生時の音声信号も含めて、選択された音声信号がスピーカー３０１及び拡張コネクタ１８へ出力される。
【００８５】
マイク１０１からの音声信号のうち選択された音声信号は、音声処理部３００によってＡ／Ｄ変換処理にてデジタル化され、動画コーデック部２０３と送受される。
【００８６】
動画コーデック部２０３は、ＣＰＵ２００の制御により、入力された音声信号と映像信号から動画ファイルを生成し、新たに設けられたデータセレクタ２０７に供給する。
【００８７】
このデータセレクタ２０７は、静止画コーデック部２０２からの出力信号と、前記動画コーデック部２０３との出力信号が供給されており、ＣＰＵ２００の切替制御により、入力された信号を切替えて記録媒体２０５に出力する。また、再生時に、データセレクタ２０７は、同様にＣＰＵ２００による切替制御によって、記録媒体２０５からの再生信号を、静止画コーデック部２０２あるいは動画コーデック部２０３に切替えて出力する。
【００８８】
その他の構成については、前記第１の実施の形態と略同様である。
【００８９】
（作用）
次に、本実施の形態の特徴となる作用を図８乃至図１０を参照しながら詳細に説明する。
【００９０】
本実施の形態において、前記第１の実施の形態と同様にベース基板１６上のＣＰＵ２７は機能拡張基板２９上のＣＰＵ２００と通信することによって、機能拡張基板２９の存在を認識する。
【００９１】
ここで、術者は、患者の体腔内に電子内視鏡２を挿入し、患者に発声をしてもらい、あるいは術者自身によって発生したものとすると、マイク１０１によって得られた音声信号は、図９に示す機能拡張基板２９の音声処理部３００に供給され、この音声処理部３００では、動画コーデック部２０３からの再生時の音声信号をＤ／Ａ変換した音声信号を含めて選択が行われ、選択された音声信号がスピーカー３０１及び図示しない外部スピーカーへ出力されるようになっている。
【００９２】
また、マイク１０１から得られた音声信号のうち選択した音声信号が、前記音声処理部３００にてＡ／Ｄ変換されて動画コーデック部２０３へ出力され、動画コーデック部２０３では、映像信号とともに動画ファイルが生成される。
【００９３】
ここで、本実施の形態おいて、ＣＰＵ２００は、静止画ファイルも合わせて、ファイルの関連付け処理を、各々静止画コーデック部２０２及び動画コーデック部２０３にて行うように制御し、各々のファイルを１次メモリ２０１ａ，２０１ｂに１次的に記録するように制御する。
【００９４】
例えば、前記第１の実施の形態における図５に示す設定画面１１Ａと同じ設定例だと想定すると、１次メモリ２０１ａにはＳＵＺＵＫＩ００１．ｊｐｇが記録され、１次メモリ２０１ｂには音声付きでＳＵＺＵＫＩ００１．ｍｐｇが記録される。この場合も前記第１の実施の形態にて説明した方法と同様に保存されることになる。
【００９５】
そして、ＣＰＵ２００は、各々の１次メモリ２０１ａ，２０１ｂから記録したデータを読み出した後、データセレクタ２０７，コネクタ２０９を介して記録媒体２０５に供給し記録させる。
【００９６】
再生時には、前記第１の実施の形態と略同様にＣＰＵ２００による再生制御が行われるが、音声に関しても、ＣＰＵ２００は、動画コーデック部２０３からの再生出力を音声処理部３００にてＤ／Ａ変換させ、スピーカー３０１及び図示しない外部スピーカーへと出力させることにより、動画の再生と共に音声を再生するように制御する。
【００９７】
ここで、図１０は声帯のストロボ観察を説明する図であるが、声帯のストロボ観察では、患者が発声を行い、その発声の音声周波数Ｓあるいは骨伝導周波数に準じた周波数でストロボ光源の発光（発光時間Ｌ１，Ｌ２，Ｌ３…にて発光）を制御すると、モニタ１１上には声帯が止まって観察できたり、スローモーションで観察できたりする（前記発光時間Ｌ１…に対応して得られるストロボ画像Ｇ１，Ｇ２，Ｇ３…）。
【００９８】
ここで、例えばストロボ光源の発光周波数差（以下、モーション周波数と称す）を１Ｈｚと設定した場合は、モニタ１１上は約１秒間で１周期となる声帯の振動画像が観察できる。
【００９９】
そこで、本実施の形態では、例えば声帯のストロボ観察時に、ＣＰＵ２７を介した光源との通信によって、モーション周波数に準じた時間を自動的に動画の記録時間に設定できるようにしてもよい。
【０１００】
このようなモーション周波数に準じた時間と動画の録画時間との設定例が下記の表１に示されている。
【０１０１】
【表１】
2005044004.tif 000003
例えば、上記表１に示すように、図示しないストロボ光源との通信により、ストロボ光源のモーション周波数が０．５Ｈｚ設定の場合には、１／０．５Ｈｚ＝２秒、１Ｈｚの場合には１／１Ｈｚ＝１秒、２Ｈｚの場合には１／２Ｈｚ＝０．５秒といった時間が自動的に設定されるようにすればよい。
【０１０２】
また、例えば上記表１の最右列に示すように、もう少し長い記録時間を設定できるようにしてもよい。
【０１０３】
このように、ストロボ観察時にはストロボ光源のモーション周波数に準じて自動的に記録時間を設定すれば、声帯の動きを診察する上で最低必要な１周期の動画像が、静止画像の記録と同時に自動的に行われるようになる。
【０１０４】
また、動画の再生時には、自動的に頭だし再生を行うようにしてもよい。例えば０．５秒といったような短い記録時間であっても何度も自動的に頭だし再生されるため、声帯の動きが容易に確認できる。
【０１０５】
その他の作用については、前記第１の実施の形態と略同様である。
【０１０６】
（効果）
したがって、本実施の形態によれば、前記第１の実施の形態と同様の効果が得られる他に、静止画の記録・再生と共に、その静止画と時間的に関連付けされた動画及び音声を記録・再生できる手段を設けることで、より一層患者の病気や診察に対する説明を容易に行うことが可能となる。
【０１０７】
なお、本発明に係る第１，第２の実施の形態においては、記録媒体２０５に関して特に説明を行わなかったが、記録媒体２０５の種類に応じて、機能拡張基板２９を各々設けても構わない。この場合、使用する記録媒体に応じて、ビデオプロセッサ１０に搭載する機能拡張基板２９の種類を変えることで、所望の記録媒体への記録が可能となる。
【０１０８】
また、本発明は上記第１，第２の実施の形態に限定されるものではなく、発明の請求範囲を逸脱しなければ、その組み合わせや応用も適用される。
【０１０９】
【発明の効果】
以上説明したように本発明によれば、内視鏡画像の静止画の記録に際し、該静止画と共に動画も記録可能に構成することで、患者への説明や記録画像の保管を容易に行うことのできる医療画像記録装置の実現が可能となる。
【図面の簡単な説明】
【図１】本発明の医療画像記録装置の第１の実施の形態を示し、該医療画像記録装置を採用した電子内視鏡システムの構成を示す構成図。
【図２】図１のビデオプロセッサと電子内視鏡の詳細な構成を示すブロック図。
【図３】図１のビデオプロセッサ内のベース基板上に配された機能拡張基板の取付け状態を示す斜視図。
【図４】図３の機能拡張基板上の電子回路群の具体的な構成を示すブロック図。
【図５】本実施の形態の特徴となる作用を説明するための設定画面を示す図。
【図６】特徴となる記録方法の記録タイミングを示すタイミングチャート。
【図７】特徴となる作用を説明するための静止画のサムネイル表示を示す図。
【図８】本発明の医療画像記録装置の第２の実施の形態を示し、改良がなされたビデオプロセッサと電子内視鏡の詳細な構成を示すブロック図。
【図９】図８の機能拡張基板上の電子回路群の具体的な構成を示すブロック図。
【図１０】本実施の形態の特徴となる声帯のストロボ観察を説明するための説明図。
【符号の説明】
１…電子内視鏡システム、
２…電子内視鏡、
３…操作部、
４…操作スイッチ（レリーズスイッチ）、
５…ユニバーサルコード、
６…ＬＧコネクタ、
７…ビデオコード、
８…ビデオコネクタ、
９…光源装置、
１０…ビデオプロセッサ、
１１…モニタ、
１２…ビデオケーブル、
１３…通信ケーブル、
１４…キーボード、
１４Ａ…マウス、
１５…キーボードケーブル、
１５Ａ…ケーブル、
１６…ベース基板（メイン基板）、
１８…機能拡張コネクタ、
１９…記録媒体スロット、
２０…フラットケーブル、
２１…コネクタ、
２２…固体撮像素子（ＣＣＤ）、
２７…ＣＰＵ、
２８…映像信号処理部、
２９…機能拡張基板、
３０…信号切替部、
１０１…マイク、
２００…ＣＰＵ、
２０１ａ，２０１ｂ…１次メモリ、
２０２…静止画コーデック部、
２０３…動画コーデック部、
２０４…ファイル関連付け部、
２０５…記録媒体、
２０６，２０７…データセレクタ（ＳＥＬ）、
２０８…２次メモリ、
２０９…コネクタ、
３００…音声処理部、
３０１…スピーカー。
【図１】
2005044004.tif 000004
【図２】
2005044004.tif 000005
【図３】
2005044004.tif 000006
【図４】
2005044004.tif 000007
【図５】
2005044004.tif 000008
【図６】
2005044004.tif 000009
【図７】
2005044004.tif 000010
【図８】
2005044004.tif 000011
【図９】
2005044004.tif 000012
【図１０】
2005044004.tif 000013